(57)【要約】【課題】ＤＶＤレコーダー／ビデオレコーダー一体型レコーダーにおいてビデオからＤＶＤへのダビング記録を高画質に実現する。【解決手段】ビデオレコーダーの再生出力に付加した３次元Ｙ／Ｃ分離，３次元ＮＲ部３１０により一体型レコーダーにおいてビデオからＤＶＤへのダビング記録が高画質で実現することが出来る。その構成としては、ビデオからＤＶＤへダビングする際にのみ、３次元ＮＲ部２０１に映像信号を入力してノイズ除去するように構成したものである。【選択図】図３
2005318234.tif 000002
【特許請求の範囲】
【請求項１】
第１の記録媒体で再生した信号を第２の記録媒体へ記録可能な編集装置であって、前記第１の記録媒体から少なくとも映像信号を再生する再生処理手段と、前記第２の記録媒体へ少なくとも映像信号を記録する記録制御手段と、前記再生処理手段によって再生された映像信号からノイズを除去するノイズ除去手段と、前記再生処理手段からの映像信号を前記ノイズ除去手段へ入力するか否かを切り換える切り換え手段とを備え、前記切り換え手段は、前記第１の記録媒体で再生した信号を前記第２の記録媒体へ記録する際のみ、前記再生処理手段からの映像信号を前記ノイズ除去手段へ入力するよう切り換え制御することを特徴とする編集装置。
【発明の詳細な説明】
【技術分野】
【０００１】
本発明は、ＶＨＳ（日本ビクター株式会社の登録商標）ビデオの記録再生とＤＶＤ記録再生の機能を併せ持った機器においてＶＨＳからＤＶＤ（デジタル多用途ディスク）への編集装置に関するものであり、ダビング時の画質改善に関するものである。
【背景技術】
【０００２】
映像記録装置として従来からのビデオレコーダーに代わり近年では新しい記録メディアとしてＤＶＤレコーダーの需要が急速に高まってきている。このＤＶＤレコーダーの普及に伴い今まで持っていたＶＨＳ等のテープメディアに記録されたコンテンツをＤＶＤへ移行する事によりユーザビィティの向上や記録メディアの小型化による保管場所の省スペース化を図る動きも進んでいる。
【０００３】
また新規に購入されたＤＶＤレコーダーは従来のビデオレコーダーと置き換えられる場合もあるが主にビデオレコーダーとＤＶＤレコーダーが併用されて設置される場合もあり、この場合に設置場所の関係よりスペースメリットの高いビデオレコーダーとＤＶＤレコーダーをひとつの筐体に入ったいわゆるＶＨＳ一体型ＤＶＤレコーダー（以下、一体型レコーダーと記す）の需要が大きくなっている。この一体型レコーダーではビデオレコーダーとＤＶＤレコーダーがひとつの筐体にあるというメリットを活かして、機器間の接続やそれぞれの機器の操作設定の必要がなく、ワンタッチでビデオからＤＶＤ、ＤＶＤからビデオへのダビング記録が行える機能を持つものがほとんどであり、上記の記録メディアの移行の流れと併せてひとつの商品カテゴリーとなるまで成長してきている。
【０００４】
ただ現在においては一体型レコーダーにおいて組み合わされているビデオレコーダーは構成の複雑さや価格の関係から高画質化技術が導入されていない低価格のビデオレコーダーがほとんどであり、ビデオからＤＶＤへの移行を考えた場合に記録機側のＤＶＤレコーダーの性能に対して再生機側になるビデオレコーダーの性能が十分とはいえず、高画質でＶＨＳからＤＶＤへの移行が実現出来ていなかった。
【０００５】
図４は従来の一体型レコーダーの構成を示すものである。
【０００６】
図４において、１０１はＤＶＤレコーダー入力映像信号を映像輝度信号と映像色信号に分離する３次元Ｙ／Ｃ分離部、１０２は第２の映像信号処理部、１０３はＤＶＤレコーダー再生信号のノイズを除去する３次元ＮＲ部、１０４は第１の映像信号処理部、１０５はＤＶＤレコーダー／ビデオレコーダー出力信号切り替えスイッチ部でスイッチがｃ側選択時にはＤＶＤレコーダー出力が出力され、ｄ側選択時にはビデオレコーダー出力が出力される。１０６はビデオレコーダー出力ｆと一般映像信号ｅを選択するＤＶＤレコーダー入力信号切り替えスイッチ部、１０７はＤＶＤレコーダー出力ｇと一般映像信号ｈを選択するビデオレコーダー入力信号切り替えスイッチ部、１０８は映像信号入力端子、１０９は映像信号出力端子、１１０はディスク状媒体，１１１はテープ状記録媒体であり、このように一体型レコーダーはＤＶＤレコーダーとビデオレコーダーの入出力部にそれぞれ切り替えスイッチを付加してひとつの筐体に納めたものとなっている。
【０００７】
また、図５は従来の一体型レコーダーでビデオからＤＶＤへとダビング記録を行った場合の構成を示すものである。このようにビデオレコーダーの再生出力をＤＶＤレコーダーの入力にしてダビング記録を行う。
【特許文献１】特開平１−１１２５６６号公報
【発明の開示】
【発明が解決しようとする課題】
【０００８】
解決しようとする問題点は、一体型レコーダーにおいてＤＶＤレコーダーの性能に対してビデオレコーダー側の再生性能が十分ではないために、ビデオからＤＶＤへダビング記録を行った際に映像劣化が生じてしまう点である。
【０００９】
本発明は、一体型レコーダーにおいてビデオからＤＶＤへのダビング記録時の映像劣化を改善するために、ダビング記録時にＤＶＤレコーダー側の映像信号入力部にノイズ除去手段を付加することを最も主要な特徴とする。
【課題を解決するための手段】
【００１０】
上記目的を達成するために本発明の編集装置は、第１の記録媒体で再生した信号を第２の記録媒体へ記録可能な編集装置であって、前記第１の記録媒体から少なくとも映像信号を再生する再生処理手段と、前記第２の記録媒体へ少なくとも映像信号を記録する記録制御手段と、前記再生処理手段によって再生された映像信号からノイズを除去するノイズ除去手段と、前記再生処理手段からの映像信号を前記ノイズ除去手段へ入力するか否かを切り換える切り換え手段とを備え、前記切り換え手段は、前記第１の記録媒体で再生した信号を前記第２の記録媒体へ記録する際のみ、前記再生処理手段からの映像信号を前記ノイズ除去手段へ入力するよう切り換え制御するものである。
【発明の効果】
【００１１】
本発明の一体型レコーダーは、ビデオからＤＶＤへのダビング記録時ＤＶＤレコーダーの映像信号入力にノイズ除去手段を持つためビデオからＤＶＤへのコンテンツの移行が画質の劣化を最小限にして実現する事が可能となる。またノイズ除去手段を選ぶことにより本発明導入による価格の上昇も抑えることが可能である。
【発明を実施するための最良の形態】
【００１２】
本発明の請求項１に記載の発明は、第１の記録媒体で再生した信号を第２の記録媒体へ記録可能な編集装置であって、前記第１の記録媒体から少なくとも映像信号を再生する再生処理手段と、前記第２の記録媒体へ少なくとも映像信号を記録する記録制御手段と、前記再生処理手段によって再生された映像信号からノイズを除去するノイズ除去手段と、前記再生処理手段からの映像信号を前記ノイズ除去手段へ入力するか否かを切り換える切り換え手段とを備え、前記切り換え手段は、前記第１の記録媒体で再生した信号を前記第２の記録媒体へ記録する際のみ、前記再生処理手段からの映像信号を前記ノイズ除去手段へ入力するよう切り換え制御するものであり、これにより、ビデオからＤＶＤへのダビング記録時ＤＶＤレコーダーの映像信号入力にノイズ除去手段を持つためビデオからＤＶＤへのコンテンツの移行が画質の劣化を最小限にして実現する事が可能となる。またノイズ除去手段を選ぶことにより本発明導入による価格の上昇も抑えることが可能である。
【００１３】
以下本発明を実施するための最良の形態について、図面を参照しながら説明する。
【００１４】
（実施の形態１）
図１は、本発明の実施の形態１の構成を示すブロック図であって、１０１はＤＶＤレコーダー入力映像信号を映像輝度信号と映像色信号に分離する３次元Ｙ／Ｃ分離部、１０２はディスク状媒体１１０に記録された映像音声信号などの情報信号を再生したりディスク状媒体１１０に映像音声信号などの情報信号を記録したりするための各種信号処理を行う第２の映像信号処理部で、請求項の記録処理手段に相当する。１０３は映像信号処理部１０２からの再生信号のノイズを除去する３次元ノイズリダクション部（以下、３次元ＮＲ部と記す）、１０４はテープ状記録媒体１１１に記録された映像音声信号などの情報信号を再生したりテープ状記録媒体１１１に映像音声信号などの情報信号を記録したりするための各種信号処理を行う第１の映像信号処理部、１０５はＤＶＤレコーダー／ビデオレコーダー出力信号切り替えスイッチ部で、スイッチがｃ側選択時にはＤＶＤレコーダー出力が出力され、ｄ側選択時にはビデオレコーダー出力が出力される。１０６はビデオレコーダー出力ｆと一般映像信号ｅを選択するＤＶＤレコーダー入力信号切り替えスイッチ部、１０７はＤＶＤレコーダー出力ｇと一般映像信号ｈを選択するビデオレコーダー入力信号切り替えスイッチ部、１０８は映像信号入力端子、１０９は映像信号出力端子である。
【００１５】
１１０は第２の記録媒体であるディスク状媒体で、本実施の形態ではＤＶＤディスクとしてあるがこれに限定されるものではなく、コンパクトディスクであっても構わない。また、ディスク状であることは一例であり、テープ状や半導体メモリ状であってもよく、少なくとも映像音声信号などの情報信号を記録および／または再生することができる記録媒体であればよい。
【００１６】
１１１は第１の記録媒体であるテープ状記録媒体で、本実施の形態ではアナログ式のビデオテープとして説明をしているが、これに限定されるものではなく、他の記録媒体であっても構わない。また、テープ状であることは必須要件ではなく、ディスク状や半導体メモリ状であってもよく、少なくとも映像音声信号を記録および／または再生できる記録媒体であればよい。
【００１７】
このように一体型レコーダーはＤＶＤレコーダーとビデオレコーダーの入出力部にそれぞれ切り替えスイッチを付加してひとつの筐体に納めたものとなっている。
【００１８】
２０１はテープ状記録媒体１１１から再生され映像信号処理部１０４で処理され出力された映像信号のノイズを除去するノイズ除去手段である３次元ノイズリダクション部（以下、３次元ＮＲ部と記す）、２０２及び２０３は３次元ＮＲ部２０１への信号を入力するかしないかを制御するための切り換え手段である切り替えスイッチである。
【００１９】
以上のように構成された本実施の形態について、以下その動作について説明する。
【００２０】
一般に再生信号に対するノイズを除去するためにレコーダーの再生信号出力部に３次元ＮＲを導入する事はよく行われる手法ではあるが、入力信号に対する３次元ＮＲは残像や微少信号の欠落などの課題により、記録しようとする映像信号を逆に劣化させる可能性を考慮し、導入されることは無かった。
【００２１】
本発明ではこの課題に対して３次元ＮＲ部２０１の入出力に切り替えスイッチ２０２，２０３を付加し、ビデオからＤＶＤへのダビング記録時にのみ、切り替えスイッチ２０２及び２０３はａ側が選択され、３次元ＮＲ部２０１を介してディスク状媒体１１０に記録されるが、ダビング記録以外（アンテナや外入力によって入力される映像信号を記録する場合）はｂ側が選択され、３次元ＮＲ部２０１を介さないでディスク状記録媒体１１０に記録するように制御を行う。
【００２２】
これによりＤＶＤレコーダー入力の３次元ＮＲはビデオからＤＶＤへのダビング記録時のみ動作する事になり、通常の入力信号では入力された情報をそのままＤＶＤレコーダーへ入力し、再生時のノイズが目立つビデオ再生信号によるダビング記録では３次元ＮＲによりノイズを抑えて高画質で記録することが出来る。
【００２３】
（実施の形態２）
図２は本発明の実施の形態２の構成を示すブロック図であって、１０１から１１１までは図１と同様であるので説明は省略する。２１５，２１６はテープ信号処理部１０４で示した第１の映像信号処理部の内部の構成であるが２１５のビデオのテープ信号処理部で内部信号処理を映像輝度信号，映像色信号を別に処理しており、２１６の輝度信号／色信号混合部で輝度信号，色信号を加算して出力する。２１０はＤＶＤレコーダー入力に対する３次元ＮＲ部、２１１と２１２は２１０内部の輝度映像信号に対する３次元ＮＲ部２１１、色映像信号に対する３次元ＮＲ部２１２をそれぞれ表したものである。２１３，２１４は輝度映像信号、色映像信号それぞれで３次元ＮＲ処理を行ったビデオレコーダー出力ｆと一般映像信号ｅを選択するＤＶＤレコーダー入力信号切り替えスイッチ部であり、図１の１０６に当たる。
【００２４】
この構成により通常の入力信号では入力された情報をそのままＤＶＤレコーダーへ入力し、再生時のノイズが目立つビデオ再生信号によるダビング記録では３次元ＮＲによりノイズを抑えて高画質で記録することが出来る効果に加えて輝度映像信号，色映像信号を一旦加算してからまたＤＶＤレコーダー側で分離するプロセスが不要となる。
【００２５】
（実施の形態３）
図６は図４で示したＤＶＤレコーダー入力映像信号を映像輝度信号と映像色信号に分離する３次元Ｙ／Ｃ分離部１０１の構成を示すブロック図である。３０１は入力映像信号をアナログ信号からデジタル信号へ変換する入力アナログ／デジタル変換部（以下、入力Ａ／Ｄ部と記す）、３０２はデジタル変換された映像信号を処理して輝度映像信号と色映像信号とに分離するデジタル処理部、３０３はデジタル信号処理部３０２における信号処理の際に画像を一時的に保存するフィールドメモリ部、３０４は映像信号が入力される映像信号入力端子、３０５はデジタル処理部３０２で処理された輝度信号が出力される輝度映像分離出力端子、３０７はデジタル処理部３０２で処理された色信号が出力される色映像分離出力である。
【００２６】
また図７は図２で示したＤＶＤレコーダー入力に対する３次元ＮＲ部２１０の構成を示すブロック図である。３１１はノイズ除去を行う輝度映像信号をアナログ信号からデジタル信号へ変換する輝度信号Ａ／Ｄ部、３１８はノイズ除去を行う色映像信号をアナログ信号からデジタル信号へ変換する色信号Ａ／Ｄ部、３１２はデジタル変換された輝度映像信号、色映像信号を処理してノイズ除去を行うデジタル処理部、３１３はフィールドメモリ部、３１４は輝度映像信号入力、３１５は輝度映像出力、３１６は色映像信号入力、３１７は色映像分離出力である。
【００２７】
３次元Ｙ／Ｃ分離、３次元ＮＲはともに映像信号の各フレーム間には強い相関性があるという事を利用して信号分離，ノイズ除去を行うものであり、またフィールドメモリをともに必要とする事もあり、使用される状況によって回路が共通化される事がある。例えば図７の構成にて考えると、Ｙ／Ｃ分離にて使用する際には３１４を入力映像端子、３１１を入力映像信号Ａ／Ｄ部として使用し、３１６、３１８を未使用として３１２のデジタル信号処理部を輝度映像信号と色映像信号とに分離するデジタル処理部として動作可能にし、また３次元ＮＲとして使用する場合には先の説明の通りの動作とすることで３１０に示した３次元Ｙ／Ｃ分離，３次元ＮＲ部として共用化を図る事が可能となる。
【００２８】
図３は本発明の実施の形態３の構成を示すブロック図であって、先に述べたように３次元Ｙ／Ｃ分離部と３次元ＮＲ部の共用化を行っており、３１１から３１８までの部分は通常時にはＤＶＤレコーダー入力の３次元Ｙ／Ｃ分離として動作し、ビデオからＤＶＤへのダビング記録時には３次元ＮＲ部として動作する。３２０はＡ／Ｄ部へ入力される信号を通常時には入力映像信号に、ビデオからＤＶＤへのダビング記録時にはビデオレコーダーの再生輝度映像信号に切り替えるスイッチである。
【００２９】
この構成により通常の入力信号では入力された情報をそのままＤＶＤレコーダーへ入力し、再生時のノイズが目立つビデオ再生信号によるダビング記録では３次元ＮＲによりノイズを抑えて高画質で記録することが出来る効果を全く新たに３次元ＮＲを追加するなど無く実現することができ、ビデオからＤＶＤへのダビング記録を高画質に安価で提供することが出来る。
【産業上の利用可能性】
【００３０】
本発明にかかる磁気記録再生およびディスク記録再生装置はビデオからＤＶＤへのダビング記録時ＤＶＤレコーダーの映像信号入力にノイズ除去手段を持つためビデオからＤＶＤへのコンテンツの移行が画質の劣化を最小限にして実現する事が可能となるもので、ビデオの記録再生とＤＶＤ記録再生の機能を併せ持った機器においてＶＨＳからＤＶＤへのダビング時の画質改善等として有効である。
【図面の簡単な説明】
【００３１】
【図１】本発明の実施の形態１に於ける一体型レコーダーでのビデオからＤＶＤへのダビング記録の構成を示したブロック図
【図２】本発明の実施の形態２に於ける一体型レコーダーでのビデオからＤＶＤへのダビング記録の構成を示したブロック図
【図３】本発明の実施の形態３に於ける一体型レコーダーでのビデオからＤＶＤへのダビング記録の構成を示したブロック図
【図４】従来の一体型レコーダーの構成を示したブロック図
【図５】従来の一体型レコーダーでのビデオからＤＶＤへのダビング記録の構成を示したブロック図
【図６】３次元Ｙ／Ｃ分離の構成を示したブロック図
【図７】３次元ＮＲの構成を示したブロック図
【符号の説明】
【００３２】
１０１    ３次元Ｙ／Ｃ分離部
１０２    第２の映像信号処理部
１０３    ３次元ＮＲ部
１０４    第１の映像信号処理部
１０５    切り替えスイッチ部
１０６    切り替えスイッチ部
１０７    切り替えスイッチ部
１０８    映像信号入力端子
１０９    映像信号出力端子
１１０    ディスク状媒体
１１１    テープ状記録媒体
２０１    ３次元ＮＲ部
２０２    切り替えスイッチ
２０３    切り替えスイッチ
２１０    ３次元ＮＲ部
２１１    ３次元ＮＲ部
２１２    ３次元ＮＲ部
２１３    切り替えスイッチ部
２１４    切り替えスイッチ部
２１５    ビデオのテープ信号処理部
２１６    再生輝度信号／色信号混合部
３０１    入力Ａ／Ｄ部
３０２    デジタル処理部
３０３    フィールドメモリ部
３０４    映像信号入力
３０５    輝度映像分離出力
３０７    色映像分離出力
３１０    ３次元Ｙ／Ｃ分離，３次元ＮＲ部
３１１    輝度信号Ａ／Ｄ部
３１８    色信号Ａ／Ｄ部
３１２    デジタル処理部
３１３    フィールドメモリ部
３１４    輝度映像信号入力
３１５    輝度映像出力  
３１６    色映像信号入力
３１７    色映像分離出力
【図１】
2005318234.tif 000003
【図２】
2005318234.tif 000004
【図３】
2005318234.tif 000005
【図４】
2005318234.tif 000006
【図５】
2005318234.tif 000007
【図６】
2005318234.tif 000008
【図７】
2005318234.tif 000009